(57)【特許請求の範囲】
【請求項１】
クリスマスリースを構成するリング部を中空胴体とすることにより、前記リング部の内部を、被収納物を収納する収納部であって前記リング部の周方向に沿った略円環状の収納部とし、前記リング部の一部に開口部と前記開口部を閉塞或は開閉可能とする部材を設けてなる収納部付クリスマスリース。
【請求項２】
前記リング部の少なくとも一部を透明部材で構成したことを特徴とする請求項１に記載の収納部付クリスマスリース。
【請求項３】
前記リング部外側にリングカバーを被装してなることを特徴とした請求項１又は請求項２に記載の収納部付クリスマスリース。
【請求項４】
クリスマスリースを構成するリング部を、一方の端部と他方の端部との間が曲げ伸ばし可能な蛇腹状でいずれか一方端又は両端が開口部とされた筒型の蛇腹体をリング状に曲げて、前記蛇腹体の一方端と他方端とを着脱可能に接続することにより形成し、
前記蛇腹体の内部を、被収納物を収納する収納部とし、
前記開口部から前記収納部に被収納物を出し入れする
ことを特徴とする収納部付クリスマスリース。
【請求項５】
前記リング部の少なくとも一部を透明部材で構成したことを特徴とする請求項４に記載の収納部付クリスマスリース。
【請求項６】
前記リング部外側にリングカバーを被装してなることを特徴とした請求項４又は請求項５に記載の収納部付クリスマスリース。
【発明の詳細な説明】
【０００１】
【発明の属する技術分野】
本発明は、被収納物を収納可能なクリスマスリースに関する。
【０００２】
【従来の技術】
従来、クリスマスリースは、クリスマスシーズン中、家のドアや壁に掛けて装飾用品として楽しむものである。
クリスマスリースのリースという定義は、もともとは、花、葉、小枝などでリング状に作る輪、花輪というもので、クリスマスリースは、クリスマスの季節にドアなどに飾るクリスマスの輪、花輪という意味である。
その一般的な材質及び構造は、木の細枝を数本、紐等を使用しからませながらリング状に芯を形成したものに植物の葉や花、木の実、リボン、鈴等を飾り付けて仕上げて成る。又、最近市販されているクリスマスリースは、本物の木の枝や葉や花を使用する代わりに、合成樹脂等によりこれらを作成したものにゴールドの玉飾りやリボン等を飾り付け、仕上げられたものが一般的である。
【０００３】
【発明が解決しようとする課題】
クリスマスリースは、本来、クリスマスの装飾用品としてのみ制作される物であるゆえ、クリスマスシーズンの装飾用以外にこれといった利用法がない。クリスマス時に用いられるクリスマスグッズの分野においては常に斬新な趣向のものが求められており、又、クリスマス時にはクリスマスプレゼントを入れる為の入れ物が必要であり、本発明は、以上述べたような問題点に注目して考えられたものである。従来の方法により作成された一般的なクリスマスリースは、装飾用品として作成されたものであるからして、当然、何か物を入れる為の収納部は存在しないものであったが、クリスマスの装飾用品としてのみ使用されてきたクリスマスリースの形状を生かし、収納部を有する構造に作成することにより、クリスマスの装飾用品としてはもちろん、その中に菓子類や玩具、雑貨等の被収納物を入れて、クリスマスプレゼントやギフトボックスとしても使用出来る新しいタイプのクリスマスリースを提供する。
【０００４】
【課題を解決するための手段】
上記目的を達成するために、本発明のクリスマスリースは、クリスマスリースを構成するリング部を中空胴体とすることにより、前記リング部の内部を、被収納物を収納する収納部であって前記リング部の周方向に沿った略円環状の収納部とし、前記リング部の一部に開口部と前記開口部を閉塞或は開閉可能とする部材を設けてなる収納部付クリスマスリースとする。尚、リング部の少なくとも一部を透明部材により構成してもよい。また、リング部外側にリングカバーを被装してもよい。
また、もう１つの本発明のクリスマスリースは、クリスマスリースを構成するリング部を、一方の端部と他方の端部との間が曲げ伸ばし可能な蛇腹状でいずれか一方端又は両端が開口部とされた筒型の蛇腹体をリング状に曲げて、前記蛇腹体の一方端と他方端とを着脱可能に接続することにより形成し、前記蛇腹体の内部を、被収納物を収納する収納部とし、前記開口部から前記収納部に被収納物を出し入れする収納部付クリスマスリースとする。このクリスマスリースにおいても、リング部の少なくとも一部を透明部材により構成してもよいし、リング部外側にリングカバーを被装してもよい。
【０００５】
【本発明の実施の形態】
本発明の実施の形態を、以下説明する。
クリスマスリースを構成するリング部内に、被収納物を収納可能な中空の収納部が形成されてなり、リング部の一部に開口部と前記開口部を閉塞、或は開閉可能とする部材を設けて成る、収納部付クリスマスリースを作成する。
詳しくその方法を説明すれば、リング部を、例えば、略円環状（ドーナツ形）等に膨らみを持たせた形状とし、その内部に中空の収納部を形成する為に、リング部内を中空胴体とすることにより、被収納物を収納可能な収納部を存在させるとともに、リング部の一部には開口部と、この開口部を閉塞、成は開閉が可能となる部材を設けた、収納部付クリスマスリースを作成する。略円環状とは、ここでは、厳密にきれいな円形をした円環状でなくともよく、リング部の全体形状や断面形状が、円形の他、特定の部分を張り出した形状や特定の部分が逆にカットされた形状等であってもよい。所々に凹凸や変形をつけた形状等、多少変形した形状も含めるという意味である。意匠面を考え、リング部全体の形状を、例えば、八角形等にカットした略円環状として形成してもよく、リング部断面の形状も円形のみでなく半円形や多角形としてもよい。
リング部内に設けてなる収納部については、リング部内の全体を中空胴体として形成する他、半分または特定の部分のみ中空の収納部としてリング部内に一箇所以上形成してもよい。また、中空の収納部には仕切り部材や仕切り枠を設けてもよく、収納部を画設する仕切り部材や仕切り枠は、リング部を構成する材質によってはリング部との一体形成も可能である。
本発明の収納部付クリスマスリースのリング部の一部に設けられてなる開口部と、前記開口部を閉塞或は開閉が可能な部材については、リング部の一部に開口部を設け、この開口部を、例えば、ポリプロピレンやナイロン等の合成樹脂によるフィルム材により閉塞し、収納部に納められてなる被収納物はこのフィルム材を剥すことにより、取り出し可能とする。この他、蓋体を設けたり、合成樹脂等による開閉部材を取り付け、開閉可能とする等の方法がある。開口部を閉塞或いは開閉が可能な部材は、それ自体が他の部材を兼ねていたり、リング部の一部を構成していてもよい。
本発明の収納部付クリスマスリースのリング部を作成する為に主に使用する材質については、特に限定される必要はなく、パルプ材、合成樹脂材、アルミ、スチール等による金属材等により作成可能である。また、本発明の収納部付クリスマスリースのリング部外側表面に、布材、フェルト等の繊維や、ビニール等の合成樹脂により被覆した被覆層を設けてもよい。例えば、厚紙や発泡スチロールの表面にフェルトの粉を吹き付けて着色するフロッキング加工と呼ばれる方法により、本発明の収納部付クリスマリースのリング部外側表面の着色加工仕上げが可能である。以上述べたような材質や作成方法によりリング部を作成し、従来の装飾用品としてのクリスマスリースと同様、図柄や着色、オーナメント品等を、リング部外側表面に任意に施すことにより、本発明の収納部付クリスマスリースの作成が可能である。
上記のようにして作成された本発明の収納部付クリスマスリースは、従来のクリスマスリースと同様、リング部外側の一部に壁やドア等に掛け外しや着脱が可能な掛止手段として取付部材を設ける。壁やドア等に掛け外しや着脱が可能な取付部材としては、紐をループ状に具備し取付部材として使用する他、掛止穴を設けた突設片や、吸着盤、粘着テープ等によるものがあり、このような取付部材により、本発明の収納部付クリスマスリースをクリスマス期間中、壁やドアに掛けて本来のクリスマスリースの役目である装飾用品として活用するとともに、収納部に収められている被収納物は開口部を利用し、適宜取り出すことが可能である。また、リング部の形状を利用し、そのまま掛止手段として活用してもよい。
【０００６】
本発明の収納部付クリスマスリースの、リング部の少なくとも一部を、リング部外側からリング部内の収納部に収められている被収納物が確認可能な透明部材で構成したことを特徴とする、収納部付クリスマスリースを作成する。
例えば、リング部の背面側半分のみを合成樹脂等による透明部材を用いて構成したものや、リング部全体を透明部材により構成しその所々にクリスマスリースに適した図柄や装飾を施したもの等、被収納物がリング部外側から全体的あるいは部分的に確認可能とすることにより、例えば、数種類のこまごまとした菓子類やおもちゃ等の被収納物を収納部に詰め合わせ、何が入っているのか子供に楽しみを与えながらクリスマスプレゼントとして活用できる本発明の収納部付クリスマスリースの作成が可能である。又、収納部に納められている被収納物が、例えば、カラフルな包紙に包まれたキャンディやサンタクロースの形をした小さな人形である場合、リング部を透明部材により構成することにより、リング部外側よりこれら被収納物が視認可能となり、これらの被収納物がそのままクリスマスリースとしての意匠として効果的に表現されることから、これがリング部を透明部材により構成する重要な要素となる。透明部材とは、ここでは、収納部に納められている被収納物がリング部外側より大体確認可能な程度とし、全くの無色透明でなくとも着色や模様の入った半透明でもよいこととする。
【０００７】
本発明の収納部付クリスマスリースの、リング部の少なくとも一部を、曲げ伸ばし可能な蛇腹状に形成したことを特徴としたものを作成する。
合成樹脂等により、帯状で筒型の蛇腹状に形成した内部を、被収納物が収納可能な収納部とするとともに、どちらか一方端または両端を開口部として作成する。蛇腹状に形成した内部に設けた収納部に、開口部より被収納物を入れたのち、蛇腹の特徴を生かしこれをリング状に曲げて一方端と他方端を接続することにより開口部が閉塞され蛇腹状に形成したリング部となる。被収納物を取り出す際には、接続部分を外して、いったん、リング形状を解除し、帯状の筒型に戻すことにより、開口部が表れ、容易に被収納物を取り出し可能である。
リング部を曲げ伸ばし可能な蛇腹状とすることで、製造の段階において、はじめからリング部をリング形状に形成する必要はなく、帯状で筒型の蛇腹状に形成し、蛇腹の特徴を生かし、リング状に曲げて、一方端と他方端を接続しリング部とすることにより、初めからリング状に形成する場合に比べ、製造や被収納物の出し入れが形状的に容易である。
蛇腹状とは、ここでは、厳密に折り畳みや伸縮が可能な断面が円形の蛇腹の他、蛇腹の断面形状が楕円や六角形であったり、螺旋のコイルや伸縮性のある合成樹脂等を使用し、湾曲性ともとの形に戻る復元力を有し、折り曲げてリング状に作成したり、元の形に戻したりが可能な性質のものであればよいこととする。
【０００８】
本発明の収納部付クリスマスリースのリング部外側に、リングカバーを被装してなることを特徴とした収納部付クリスマスリースを作成する。
リングカバーを作成する為の材質については、リングカバーに使用可能な材質であれば特に限定する必要はなく、布材や紙材、合成樹脂材、毛糸によるニット材等により作成したリングカバーを、本発明の収納部付クリスマスリースのリング部に被装する。リングカバーにはクリスマスリースに適した図柄や装飾が施されてなる。合成樹脂のシートを使用し透明質のリングカバーも作成可能である。紙材やアルミ箔や不織布等を使用しリングカバーを作成しリング部に被装した場合、リングカバーを破くことにより、リングカバー内のリング部を取り出し可能であるが、布材や、毛糸等で編んだニット製のリングカバーなどの場合、リングカバーの開閉もしくは着脱における手段は、例えば、面ファスナーや係止ボタン等の開閉部材をリングカバーの一部に必要に応じて設けることにより開閉や着脱可能とする。又、蛇腹状に作成されたリング部にリングカバーを被装する場合、リング部の開口部を利用し、リング部の開閉とリングカバーの開閉が同時に行われるような構造としてもよい。
リング部には装飾や着色等施さなくとも、リングカバーの方にクリスマスリースに適したデザインや色、装飾等を施し、リング部に被装することにより、従来品となんら遜色のないクリスマスリースとしての外観を呈し、かつ、リング部に収納部を設けるといった機能を有する本発明の収納部付クリスマスリースの作成が可能であり、リング部は、収納部を有する形状および硬性を保ちながら、外観上は、リングカバーによりソフトで上品な感じや、表情豊かな外観を呈することにより、クリスマスリースとしての意匠性を高めるといった効果がある。
【０００９】
【実施例】
次に本発明を実施例に基づき図面を参照し、説明することとする。
図１は、第一実施例として、合成樹脂により作成した、本発明の収納部付クリスマスリース１０１の正面図であり、図２は図１の縦側面図であり、図３は図１のＡ−Ａ線で切ったリング部１０２断面図である。
本発明の収納部付クリスマスリース１０１は、図１、図２及び図３に示したように、その全体の形状を略円環状（ドーナツ形）としたリング部１０２内部を中空胴体とすることにより、前記リング部１０２の内部が中空で被収納物を収納可能な収納部１０３として形成したものである。
図１に示す本発明の収納部付クリスマスリース１０１は、図２及び図３に示すリング部１０２側面の継目１０２ｃより、リング部１０２が前後半割可能となることにより、図４に示す開口部１０４を設けた構造であり、図４は図１に示した本発明の収納部付クリスマスリース１０１をリング部１０２側面の継目１０２ｃにより、開口部１０４を開けた状態を示す斜視図である。図４に示すようにリング部前面側１０２ａにおける半割部とリング部背面側１０２ｂにおける半割部が、それぞれの底部に設けられた折り曲げ可能な合成樹脂により作成された連結部１０５を介して開閉（回動）自在となると共に、リング部１０２上部には、合成樹脂により作成した、凹凸により噛み合わせ可能な噛合部１０６が突起して設けられてなるもので、この連結部１０５と噛合部１０６による開閉部材によりリング部１０２における開口部１０４を開閉可能としたものである。
噛合部１０６は、図４に示すように、リング部前面側１０２ａに突起して設けられている噛合部１０６ａと、リング部背面側１０２ｂに突起して設けられてなる噛合部１０６ｂとから成り、一方の噛合部１０６ａと他方の噛合部１０６ｂは凹凸により噛み合わせて開閉出来るしくみとなっている。又、それぞれの突起して設けられて成る噛合部１０６ａ及び噛合部１０６ｂの上方には、紐体１１０を通す為の孔１０７を構成する一方の孔１０７ａともう一方の孔１０７ｂを設けてなる。図１に示した収納部付クリスマスリース１０１は、従来のクリスマスリースと同様、壁やドア等に掛け外しが可能な掛止手段として紐体１１０を、取付部材として収納部付クリスマスリース１０１のリング部１０２に突起して設けられてなる噛合部１０６の上方に設けられた孔１０７にループ状に通すことにより具備して成る。
図５は、図４に示した、噛合部１０６ａに形成した凹部に、噛合部１０６ｂに形成した凸部を噛み合せ、図２に示す様な状態で、縦方向の前後に切断した様子を示す、噛合部１０６の一部省略断面図である。
連結部１０５及び噛合部１０６による開閉部材により、リング部前面側１０２ａの半割部とリング部背面側１０２ｂの半割部を閉じた状態で、孔１０７ａと孔１０７ｂ両方からなる孔１０７に紐体１１０をループ状に通し壁やドア等に掛けることで、リング部１０２の重みにより噛合部１０６ａ及び噛合部１０６ｂがしっかり噛み合ったまま、確実に閉じた状態で掛けることができるうえ、噛合部１０６ａと噛合部１０６ｂが壁等に掛けた状態で安易にはずれてしまうのを防ぐといった役目もある。他に、このような壁やドアに掛け外しや着脱が可能な掛止手段としては、掛止孔を設けた突設片や吸着盤等があり、このような取付部材により本発明の収納部付クリスマスリース１０１を、クリスマス期間中、壁やドアに掛けてディスプレイし、本来の装飾用品としてのクリスマスリースとして楽しむことが出来、収納部１０３に納められている被収納物はリング部１０２に設けられてなる連結部１０５と噛合部１０６による開閉部材を利用し適宜、取出しが可能である。また、リング部１０２の形状を利用し、そのままリング部１０２をフックやドアノブ等にひっかけ、掛止手段としてもよい。
図１に示す本発明の収納部付クリスマスリース１０１は、従来の一般的なクリスマスリースと同様に、クリスマスリースに適した着色、図柄、装飾等を任意に施すこととし、図１に示す実施例においては、合成樹脂製の木の葉１０８や、鈴の付いた布製のリボン１０９等のオーナメントをリング部前面側１０２ａの外側表面に接着する方法により設けて成る。
図１〜図５で示した本発明の収納部付クリスマスリース１０１は、被収納物があらかじめ内袋に入った状態で、収納部１０３に納められていてもよく、また、リング部１０２を発泡スチロール等を成形して作成する場合、リング部前面側１０２ａにおける半割部を、発泡スチロール等により充填し、リング部背面側１０２ｂにおける半割部のみ、収納部１０３として形成してもよい。
【００１０】
図６、図７及び図８は本発明の第二実施例として、収納部付クリスマスリース２０１の一部を透明部材により構成して成るもので、リング部前面側２０２ａを発泡スチロールを使用し断面を半弧形としたリング状に形成し、リング部背面側２０２ｂを合成樹脂による透明のシート２０５を使用し平坦に形成したもので、図６は前面側からみた斜視図である。
図７は、図６のリング部２０２のＢ−Ｂ線で切った断面図である。
図６のリング部２０２のＢ−Ｂ線における断面が図７に示すような半円形であって、リング部前面側２０２ａを発泡スチロールにより成形し、その外側表面にフェルトの粉を吹き付けて仕上げるフロッキング加工という方法により、例えば、緑色等所望の色に着色仕上げしてなる被覆層２０２ｄを作成し、リング部背面側２０２ｂは、例えば合成樹脂のナイロンやポリプロピレン等を使用しやや硬質の一枚のフィルムとして作成して成る透明のシート２０５を使用し、リング部前面側２０２ａとの継部分２０２ｃを接着することで、リング部背面側２０２ｂを閉塞するとともに、リング部背面側２０２ｂを透明部材により構成して成る。
リング部前面側２０２ａには、図６に示すような、布材を使用して作成した柊の葉や円形を型どったアップリケ２１０を、フロッキング加工してなる被覆層２０２ｄの上から貼り付け、布製のリボン２０９をリング部前面側２０２ａにおける外側表面の上方向の一部に接着することにより装着して成る。また、収納部付クリスマスリース２０１を壁やドア等に掛止するための取付部材として、掛止孔２０７を設けた突設片２０８をリング部２０２の外周縁の一部に延設して成る。図６に示す本発明の収納部付クリスマスリース２０１は、リング部２０２外周縁に延設してなる、掛止孔２０７を設けた突設片２０８を利用し、リング部背面側２０２ｂを構成してなる透明のシート２０５を剥すことにより開口部２０４となるしくみになっているもので、図８はその様子を示す収納部付クリスマスリース２０１を背面側からみた斜視図である。
掛止孔２０７を設けた突設片２０８は、リング部前面側２０２ａより延設した発泡スチロールにより形成した突設片２０８ａとリング部背面側２０２ｂより延設した透明のシート２０５により形成した突設片２０８ｂとを重ね合わせて成るもので、突設片２０８ａと突設片２０８ｂには、それぞれの上半分の位置に掛止孔２０７ａ及び掛止孔２０７ｂを設け、下半分を接着面２０６ａおよび接着面２０６ｂとした。これにより、リング部２０２内部の収納部２０３に被収納物を入れた状態で、突設片２０８ａと突設片２０８ｂに設けてなる接着面２０６ａと接着面２０６ｂを、リング部前面側２０２ａ外周縁の継部分２０２ｃにおける接着面２０６ｃとリング部背面側２０２ｂのシート２０５外周縁の継部分２０２ｃにおける接着面２０６ｄを、リング部前面側２０２ａ内周縁の継部分２０２ｃにおける接着面２０６ｅとリング部背面側２０２ｂのシート２０５内周縁の継部分２０２ｃにおける接着面２０６ｆを、互いにそれぞれ接着することにより、しっかりとリング部背面側２０２ｂが透明のシート２０５により閉塞され、掛止時も、安定した接着効果があり、被収納物を取り出す際には、突設片２０８の上半分で掛止孔２０７ａ及び掛止孔２０７ｂを設けてなる非接着面を指でつまんで、それぞれ反対方向へひっぱることにより、突設片２０８の下半分の接着面２０６ａ及び接着面２０６ｂが剥がれ、続いて接着面２０６ｃと接着面２０６ｄが剥がれるとともに接着面２０６ｅと接着面２０６ｆが剥がれ、透明のシート２０５により閉塞されていたリング部背面側２０２ｂが剥がれることより開口部２０４となるしくみとなっている。突設片２０８は本来、収納部付クリスマスリース２０１を掛止するための取付部材であり、透明のシート２０５は、本来、リング部背面側２０２ｂを構成する部材であり、このように開口部２０４を閉塞する部材が他の部材を兼ねていたりリング部の一部を構成していてもよい。
図８に示すようにリング部背面側２０２ｂを透明部材により構成したことにより、リング部２０２外側から収納部２０３に入っている被収納物を確認出来、リング部前面側２０２ａは、図６に示す様にフロッキング加工による被覆層２０２ｄやリボン２０９、アップリケ２１０等により、クリスマスリースとしての着色や図柄、装飾等を施すことで、一般の装飾用品としてのクリスマスリースと何ら相違なく、又、リング部背面側２０２ｂを平坦に形成して成ることにより、リング部２０２外周縁に延設した掛止孔２０７を設けた突設片２０８による取付部材により壁やドアにぴったりと取付出来るものである。リング部背面側２０２ｂは、透明のシート２０５の代わりに透明部材による円盤形の蓋体を使用し、リング部前面側２０２ａとの継部分２０２ｃにはめ込み可能な構造としてもよい。
図６、図７及び図８に示した実施例の他、例えば、図１に示したような円環状（ドーナツ形）の本発明の収納部付クリスマスリース１０１のリング部１０２を、合成樹脂を使用し透明部材により構成したり、粗目の網目状に形成することによっても、リング部１０２内部の収納部１０３に納められてなる被収納物が半分程度確認出来、中身を想像し楽しみながら購入出来るものである。
【００１１】
図９は、本発明の第三実施例として、収納部付クリスマスリース３０１の、リング部３０２を、合成樹脂を使用し曲げ伸ばし可能な蛇腹状に形成したもので、前面側からみた斜視図である。
図１０は、さきに図９に示した収納部付クリスマスリース３０１の、オーナメント３０９及び紐体３１０を外し、リング部３０２を分解した状態の斜視図である。リング部３０２は、図１０に示す様に、具体的には、全体略有底円筒状に形成した内部が中空の収納部３０３とした蛇腹３０５と、この蛇腹３０５の一端側の開口部３０４に装着される環体３０６と、蛇腹３０５の他端側の有底縁部３０５ｃに装着されるリボン３０７の成形品とを備えたものである。
蛇腹３０５は、一端側の開口部３０４付近を肉厚の円筒部３０５ａとして形成し、前記円筒部３０５ａにはねじ山３０５ｂが形成されて成り、蛇腹３０５の他端側には、リボン３０７内部に装着可能な、フランジ状に外側に出ている有底縁部３０５ｃが、円筒形のくびれ部分３０５ｄに続いて、図１０に示すように、形成されて成る。
環体３０６は、蛇腹３０５の開口部３０４を開閉する為に利用する部材であるとともに、蛇腹３０５の、開口部３０４付近を補強するものである。環体３０６の内側には、蛇腹３０５の円筒部３０５ａに設けたねじ山３０５ｂに対応するねじ溝３０６ｂが形成され、環体３０６端には、図１０に示すように、円盤状の側板３０６ａを一体に形成し、前記側板３０６ａには面ファスナー（オス）３０８ａを接着剤等により貼り付けてなる。
リボン３０７は、合成樹脂の成形品である。図１１は、図１０に示したリボン３０７を正面側から左右の縦方向に切ったリボン３０７内部の様子を示した断面図である。リボン３０７の内部には、蛇腹３０５の有底縁部３０５ｃの外形状に対応する内形状を有し、かつ、回転可能に有底縁部３０５ｃをはめ込んで係止する係止部分３０７ｃと、図１０に示した環体３０６に形成した円盤状の側板３０６ａに具備した面ファスナー（オス）３０８ａに対応する面ファスナー（メス）３０８ｂを接着剤等により貼り付けるための貼着面３０７ｂを設けてなる。全体的に中央部分のふくらみと左右のふくらみによる三つのふくらみからなるリボン３０７の形状を利用し、リボン３０７内部の、中央部分のふくらみと左右どちらか一方側のふくらみとの境目部分に、合成樹脂により一体形成した仕切り板３０７ａを設けることにより、図１１に示すように、仕切り板３０７ａより一方側の、中央部分のふくらみを含む側を、蛇腹３０５の有底縁部３０５ｃをはめ込んで係止する係止部分３０７ｃとし、他方側を面ファスナー（メス）３０８ｂを貼り付けるための貼着面３０７ｂとして利用し、環体３０６の一部に具備した面ファスナー（オス）３０８ａに対応する面ファスナー（メス）３０８ｂを貼り付けて成る。また、紐体３０９を通す為の紐通し部として、孔３０７ｄをリボン３０７の外側で中央部分のふくらみの一部に、図１０及び図１１に示すように突起して設けて成る。
以上の構成による蛇腹３０５と環体３０６とリボン３０７は、蛇腹３０５の一端側の円筒部３０５ａに形成したねじ山３０５ｂを環体３０６の内側に形成されたねじ溝３０６ｂにねじ込み環体３０６を装着し、蛇腹３０５の他端側に形成した有底縁部３０５ｃをリボン３０７内部の係止部分３０７ｃに押圧してはめ込むことにより装着し、蛇腹３０５の湾曲性を利用し曲げると、図１２に示すような状態となる。図１２は、蛇腹３０５の一端側に環体３０６を、他端側にリボン３０７を装着した状態で、蛇腹３０５を曲げた状態を示すリボン３０７の一部を切欠した斜視図である。図１２に示すように貼着面３０７ｂには、環体３０６の一部に具備した面ファスナー（オス）３０８ａに対応する面ファスナー（メス）３０８ｂを接着剤等により貼り付けることにより具備して成る。蛇腹３０５の材質は、特に限定されるものではないが適度な柔軟性を有する材質のもの、例えばポリエチレン等の合成樹脂が好ましい。環体３０６とリボン３０７は、蛇腹３０５を補強し、不安定さを補う役目も兼ねていることから、その材質は、蛇腹３０５とは逆に、例えば、堅牢なプラスチック等が好ましい。
図１２に示す開口部３０４より、被収納物を蛇腹３０５内における収納部３０３に入れたのち、これを更にリング状に折り曲げ、紐通し部として設けた孔３０７ｄが上方向にくるようにリボン３０７を回転し、蛇腹３０５の開口部３０４に装着してなる環体３０６の一部に具備した面ファスナー（オス）３０８ａと、蛇腹３０５の他端側に装着して成るリボン３０７内の一部に具備した面ファスナー（メス）３０８ｂを、互いに接続することにより、開口部３０４が閉塞されるとともにリング形状となる。図１３は、以上の様にして接続し図９に示した様なリング形状としたときのリボン３０７内部の様子を示す断面図である。先の図１１に示したリボン３０７内部の、係止部分３０７ｃに蛇腹３０５の有底縁部３０５ｃをはめ込み装着し、貼着面３０７ｂに具備した面ファスナー（メス）３０８ｂに、環体３０６の側板３０６ａに具備した面ファスナー（オス）３０８ａを接続してなる。蛇腹３０５の一端側に装着して成る環体３０６は、リボン３０７内部に差し込まれた状態となり、蛇腹３０５の他端側に設けてなる有底縁部３０５ｃも、リボン３０７内部の仕切り板３０７ａを設けていない側の中央部分のふくらみとの境目部分の形状を利用して成る円周状の突出辺３０７ｅに引っかかり、同様にリボン３０７内部に差し込まれた状態となり、外れることなく接続出来る。突出辺３０７ｅは有底縁部３０５ｃが引っかかり外れないように有底縁部３０５ｃよりひとまわり小さな円周状の突出辺３０７ｅとする。
この状態において、リボン３０７の外側で中央部分のふくらみに設けた紐通し部としての孔３０７ｄを利用し、紐体３１０をこの孔３０７ｄに通し、ループ状にしたものを壁などに引っかける取付部材として使用し、柊の葉の形をデザインしたオーナメント３０９をリボン３０７の一部に接着剤等を使用し貼り付けることにより、図９に示すようなリング部３０２を蛇腹３０５により形成してなる本発明の収納部付クリスマスリース３０１となる。
リング部３０２内の収納部３０３に納められている被収納物を取り出す際には、リボン３０７の一部に具備した面ファスナー（メス）３０８ｂと、環体３０６の一部に具備した面ファスナー（オス）３０８ａを剥す為に、リボン３０７内部より環体３０６を引っ張ることで、リボン３０７より環体３０６が外され、いったん、リング形状が解除され、閉塞されていた開口部３０４があらわれ、この開口部３０４より被収納物を取り出すことが出来る。
図９から図１３に示した実施例によって本発明の収納部付クリスマスリース３０１のリング部３０２を蛇腹３０５に形成し、リボン３０７の内側に、開口部３０４を開閉する部材及び、蛇腹３０５の一端側と他端側を接続する手段を設けたことにより、リボン３０７が開閉部材と接続手段を兼ねることが出来、図９に示すようにリング形状とした場合、リボン３０７のみがリング部３０２の外側部分に存在し、開閉部材と接続手段は、リボン３０７の内側で、収納部付クリスマスリース３０１の外側からはみえない箇所に存在することで、収納部付クリスマスリース３０１の外観をそこなうことなく望ましい実施例のひとつである。また、硬質の合成樹脂により形成したリボン３０７を、蛇腹３０５に形成したリング部３０２の上方部に装着することにより、蛇腹３０５により形成したリング部３０２の型くずれを防ぐことができる。蛇腹３０５内の収納部３０３に、被収納物を入れた状態で、そのまま蛇腹３０５をリング形状とした場合、被収納物の重さや蛇腹３０５の強度等の条件によっては、リング部３０２の特に上方部が縦方向に伸びてしまい、きれいな円形状を整えることができない場合がある。しかし、図９から図１３に示した実施例により、硬質の合成樹脂によるリボン３０７をリング部３０２上方部に装着することにより、蛇腹３０５に形成したリング部３０２のうちもっとも荷重の加わる上方部がリボン３０７内部に入り込みリボン３０７の幅によって支えられることにより上方部にかかる重みが分散されることで、リング部３０２が、きれいな円形状を保つことができる。すなわち、リボン３０７は、開閉部材と接続手段を兼ねるだけでなく、蛇腹３０５をリング状に接続した状態で、蛇腹３０５によるリング部３０２がきれいな円形状を保つ役割も兼ねて成る。
リング部３０２は、蛇腹３０５やリボン３０７を製造する段階において、合成樹脂を使用して透明部材により構成したり、クリスマスリースに適した色や図柄３１１等施すことにより、合成樹脂の色合いや特性を生かした、カラフルでホップな着色が蛇腹模様とあいまって独特のデザインを有する本発明の収納部付クリスマスリース３０１となる。蛇腹３０５に、図９に示した様な図柄３１１を施す方法については、合成樹脂のポリエチレンテレフタレートを薄く引き延ばしたシートに図柄３１１をあらかじめ印刷したものを、熱風を吹き付ける方法により、蛇腹３０５の凹凸にきれいに貼り付けることが可能であり、この他の方法を用いてもよい。帯状の筒型に作成された蛇腹３０５は、図１０に示すように有底縁部３０５ｃ等を形成することにより、どちらか一方の端を閉塞しても、両端を開口部３０４として作成してもよく、また、前記実施例では蛇腹３０５を円筒形のものとしたが角当状の蛇腹３０５として作成してもよい。
【００１２】
図１４は、本発明の第四実施例として、リングカバー４０６を被装してなる収納部付クリスマスリース４０１を正面側からみた斜視図である。
図１５は、図１４に示した収納部付クリスマスリース４０１の、リボン４０９を取り外し、開口部４０４を開けた状態を示す斜視図である。
図１６は、図１４及び図１５に示した収納部付クリスマスリース４０１の、リングカバー４０６の一部を切欠するとともに、リング部４０２を形成してなる蛇腹４０５を帯状の筒形に戻した状態の斜視図である。
図１７及び図１８は、図１６に示したリング部４０２を構成して成る蛇腹４０５と、リングカバー４０６を、それぞれ帯状の筒型に戻した状態でその一部を切欠した斜視図であり、図１７は、蛇腹４０５の一部を切欠した斜視図で、図１８は、リングカバー４０６の一部を切欠した斜視図である。
本発明の収納部付クリスマスリース４０１は、図１６及び図１７に示す様に、リング部４０２を、合成樹脂によりその内部を中空の収納部４０３として全体略円筒状の蛇腹４０５に形成したものに、図１８に示すリングカバー４０６を被装して成り、蛇腹４０５は、その一端側と他端側に、リング状に曲げて互いに接続が可能な円筒部４０７と円筒部４０８を、一体に形成して成る。
円筒部４０７には、突出部４０７ｃを設けて成り、円筒部４０８には、開口部４０４を設けて成る。円筒部４０７と円筒部４０８は、開口部４０４を開閉する為に利用する部材であるとともに、リングカバー４０６を取り付ける役目も兼ね、硬質の合成樹脂により肉厚に形成して成る。図１７に示す蛇腹４０５の一端側に形成した円筒部４０７は、蛇腹４０５の他端側に形成して成る円筒部４０８に設けた開口部４０４にはめ込んで開口部４０４を閉塞する、円筒部４０７よりひとまわり小さな円筒形の突出部４０７ｃを端面部４０７ａに設け、蛇腹４０５の他端側に形成した円筒部４０８は、蛇腹４０５の一端側に形成した円筒部４０７に設けた突出部４０７ｃをはめ込み可能な内形状を有する開口部４０４を端面部４０８ａより円筒部４０８内側に向かって一体に形成して成る。
図１９は、先に図１５に示したリングカバー一方端４０６ａと他方端４０６ｂの一部を切欠し拡大した状態の拡大斜視図であり、図２０は、図１５に示した、リングカバー一方端４０６ａの突出部４０７ｃをリングカバー他方端４０６ｂの開口部４０４にはめ込み互いに接続し、先に図１４に示したようなリング形状としたときの接続部分の様子を示した一部省略断面図である。
円筒部４０７に設けた端面部４０７ａと突出部４０７ｃとの境目には、図１９及び図２０に示すように、突出部４０７ｃの円周方向に沿って、溝部４０７ｂを設けて成る。溝部４０７ｂには、リングカバー４０６を取り付ける為の、輪状片４０７ｄを複数個、等間隔に設ける。円筒部４０８に設けた端面部４０８ａの開口部４０４廻りには、図１９及び図２０に示すように、溝部４０８ｂを設け、溝部４０８ｂには、リングカバー４０６を取り付ける為の、輪状片４０８ｄを円筒部４０７と同様に複数個、等間隔に設ける。円筒部４０７と円筒部４０８は、接続したとき、円筒部４０７の突出部４０７ｃに設けた小さな凸型の線状突起４０７ｅが、円筒部４０８の内側に形成した開口部４０４に設けた小さな凹型の線状のくぼみ４０８ｅにはまり込んで止まるしくみとなっている。
リングカバー４０６は、図１７に示す様な蛇腹４０５に形成したリング部４０２に被装する場合、リング形状に作成する必要はなく、蛇腹４０５をまっすぐ伸ばした時と同じ筒状に作成すればよい。図１８に示したリングカバー４０６は、布製であって、適宜間隔を介してゴム等の弾性材４０６ｄがリングカバー裏面側４０６ｅに装着された筒状に作成したものである。リングカバー４０６の長さは、筒状に作成した長手方向に、蛇腹４０５に形成したリング部４０２をリング形状にした状態のリング部４０２外周縁の長さを最低限必要とし、ニットや伸縮性のある素材を使用したり、あるいは、リングカバー４０６にひだをよせてかぶせるのに充分な長さのものを使用することにより、リング部４０２に被装したとき、きれいな外観を呈する。リングカバー４０６の幅は、リング部４０２となる蛇腹４０５の胴体部分に充分な余裕の基に押通できる胴部分を備えた筒状とする。リングカバー４０６は、適宜箇所で色や素材を切り替えて縫合され、その切り替え部分４０６ｃと、一方端４０６ａ及び他方端４０６ｂには、ゴム等の弾性材４０６ｄをリングカバー裏面側４０６ｅに縫い付ける等の方法により装着した。ゴム等の弾性材４０６ｄは、リングカバー４０６の胴体部分の円周方向に沿って複数本装着し、また、ゴム等の弾性材４０６ｄは、少なくとも、蛇腹４０５の胴体部分を圧接するのに充分な円周を備える。尚、リングカバー４０６の一方端４０６ａに装着したゴム等の弾性材４０６ｄは蛇腹４０５の一端側に形成した円筒部４０７に設けた溝部４０７ｂに、リングカバー他方端４０６ｂに装着したゴム等の弾性材４０６ｄは蛇腹４０５の他端側に形成した円筒部４０８に設けた溝部４０８ｂに、被装したとき、それぞれ適合する円周を備えることとする。リングカバー４０６の適宜箇所にゴム等の弾性材４０６ｄを使用することで、蛇腹４０５にリングカバー４０６をセットしやすいうえ、リングカバー４０６の幅の肥度に関わりなく蛇腹４０５の胴体部分にゴム等の弾性材４０６ｄがフイットすることで、リングカバー４０６がずれてかたよったりぶかついてみえることが無い。また、図１８に示すように、適宜間隔を介して装着されたゴム等の弾性材４０６ｄの相隣接する箇所を一つのブロックとして、互いに異色の色彩や任意図柄模様の布材に切り替えて縫合したことにより、クリスマスリースとして意匠性の高いものとなる。
以上述べた蛇腹４０５とリングカバー４０６は、次の様にして蛇腹４０５によるリング部４０２にリングカバー４０６を被装する。
図１８に示す筒状に作成したリングカバー４０６は、図１７に示す蛇腹４０５の胴体部分全体に通し、図１９に示すようにリングカバー４０６の一方端４０６ａを、ゴム等の弾性材４０６ｄを利用し円筒部４０７の端面部４０７ａと突出部４０７ｃとの堺目に設けた溝部４０７ｂの周りに端面部４０７ａに沿ってセットし、リングカバー４０６の他方端４０６ｂを、ゴム等の弾性材４０６ｄを利用し円筒部４０８の開口部４０４周りに設けた溝部４０８ｂに端面部４０８ａに沿ってセットする。次に、リングカバー一方端４０６ａを、溝部４０７ｂに設けた輪状片４０７ｄに縫い糸４１１等を通して縫い止め、リングカバー他方端４０６ｂを、溝部４０８ｂに設けた輪状片４０８ｄに縫い糸４１１等を通し縫い止める。蛇腹４０５の一端側と他端側に一体に形成した円筒部４０７と円筒如４０８の一部に輪状片４０７ｄ及び輪状片４０８ｄを設けたことにより、合成樹脂により作成したリング部４０２に、布材によるリングカバー４０６を縫合可能とし、リングカバー４０６の一方端４０６ａと他方端４０６ｂをしっかりと止着することができる。また、リングカバー４０６の一方端４０６ａと他方端４０６ｂ脇には、壁やドア等に掛止するための取付部材として紐体４１０ａと紐体４１０ｂを、対にして、図１９に示すようにリング形状としたとき相対的に同じような位置の輪状片４０７ｄ及び輪状片４０８ｄに通しループ状に作成して成る。
以上の様にして、リングカバー４０６を被装した蛇腹４０５は、図１５に示す開口部４０４より、リングカバー４０６を被装して成る蛇腹４０５内の収納部４０３に被収納物を収納した後、突出部４０７ｃを開口部４０４にはめ込み開口部４０４を閉塞することにより、図１４に示すような、リング部４０２にリングカバー４０６を被装して成る収納部付クリスマスリース４０１となる。
リングカバー４０６を被装してなるリング部４０２は、図２０に示したように、蛇腹４０５の一端側と他端側に形成した円筒部４０７と円筒部４０８を接続しリング形状とした時、開口部４０４と開閉部材としての突出部４０７ｃがリング部４０２内部に入り込む構造となっている。その上、リング形状とした時に互いに接する端面部４０７ａと端面部４０８ａの内周側寄りにリングカバー４０６を止着するための輪状片４０７ｄ及び輪状片４０８ｄを設けリングカバー一方端４０６ａと他方端４０６ｂを止着したことにより、リングカバー４０６の一方端４０６ａと他方端４０６ｂが、端面部４０７ａと端面部４０８ａに沿って内側に折り込まれることで、リング形状とした時、リングカバー４０６の他の切り替え部分４０６ｃと同様につながり、きれいに接続出来る。更に円筒部４０７の輪状片４０７ｄを溝部４０７ｂに設け、円筒部４０８の輪状片４０８ｄを溝部４０８ｂに設けたことにより、輪状片４０７ｄと輪状片４０８ｄが接続のじゃまにならず、円筒部４０７と円筒部４０８の接続がスムーズに出来る。
以上の様にして作成した収納部付クリスマスリース４０１は、布材による帯状のリボン４０９を、取付部材としての紐体４１０ａと紐体４１０ｂの両方のループに通し蝶結び等にして結び付けることにより装着し、この紐体４１０ａと紐体４１０ｂを利用し壁などに掛止する。これにより、円筒部４０７と円筒部４０８を互いに接続することにより閉塞された開口部４０４が掛止中に外れて開くのを防ぐことも出来る。
リング部４０２内の収納部４０３に納められている被収納物を取り出す際にはリボン４０９を外し、リングカバー４０６の一方端４０６ａと他方端４０６ｂを掴んで円筒部４０７と円筒部４０８を互いに反対方向の左右に引っ張ることで、円筒部４０７に設けた突出部４０７ｃを、円筒部４０８に設けた開口部４０４より外すことにより、いったん、リング形状が解除され、閉塞されていた開口部４０４が現れ、この開口部４０４より被収納物を取り出すことが出来る。
リングカバー４０６の一方端４０６ａと他方端４０６ｂを、リング部４０２として蛇腹４０５に形成した一端側及び他端側の円筒部４０７と円筒部４０８の一部に止着したことで、リングカバー４０６とリング部４０２の開閉が同時に可能となり、リングカバー４０６とリング部４０２を別々に開閉することなく、よってリングカバー４０６自体には開閉部材等設ける必要はなく、リング部４０２とリングカバー４０６は、蛇腹４０５の一方端と他方端に形成してなる円筒部４０７と円筒部４０８に設けた開閉部材により同時に開閉可能である。
リング部４０２にリングカバー４０６を止着する方法については、上記実施例で述べた方法の他に、接着剤や面ファスナー等を使用し止着したり、或は、リングカバー４０６を合成樹脂のシートを使用し作成した場合においては熱溶着等の方法により、リング部４０２の一部にリングカバー４０６を止着してもよい。また、必ずしも止着しなくとも、リング部４０２にリングカバー４０６を被せることのみにより被装してもよい。
図１４〜図２０に示した実施例の他に、先に示した収納部付クリスマスリース２０１のように、リング部２０２が初めから略円環状に形成されている場合においても、図２１に示すように、リング部２０２の形状に応じてリングカバー２１２を作成し、リング部２０２に被装することが出来る。リングカバー２１２は、例えば透明のセロハンシート等を使用し作成して成る。
図２１は、先に図６〜図８で示した収納部付クリスマスリース２０１のリング部２０２に、リングカバー２１２を被装した様子を示す斜視図であり、図２２は、図２１に示したリング部２０２をＣ−Ｃ線で切った断面図である。リングカバー２１２はリングカバー前面側部分２１２ａとリングカバー背面側部分２１２ｂを、熱溶着等の方法により、側面の継部分２１２ｃを接合し被装して成る。リングカバー２１２をはがすときは、リングカバー２１２を、直接、手で破いたりハサミ等を用いて切り開け、リング部２０２を取り出すことが出来る。
【００１３】
【発明の効果】
従来の装飾用品としてのクリスマスリースの形状を生かして作成された、リング部内に被収納物を収納可能な収納部を形成し、リング部の一部に開口部と前記開口部を閉塞、或は開閉可能とする部材を設けて成る、収納部付クリスマスリースの提供により、次のような効果や利点が生ずる。
第一に、収納部に菓子類や小型の玩具等を詰合せて、子供向けのクリスマスプレゼントとして活用出来る他、収納部にポップコーンやスポンジケーキ等を詰め合わせてクリスマスパーティや、雑貨等詰合せて大人向けのクリスマスプレゼントにも使用可能であり、クリスマス期間中は従来のクリスマスリースと同じように装飾用品として楽しむことが出来る上、収納部に収納して成る菓子類等の被収納物はリング部の一部に設けた開口部より取り出し可能である。また、本発明の収納部付クリスマスリースは、収納部内にあらかじめ被収納物を納めた状態の他、クリスマスリースの形をしたギフトボックスとしても活用が可能であり、ギフトボックスとして使用する場合は、収納部に被収納物を収納可能な開口部及び開閉部材等を利用し、利用者が自由に被収納物を納めることが出来る。
第二に本発明の収納部付クリスマスリースは、リング部の少なくとも一部を透明部材により構成したことにより、リング部内の収納部に納められた被収納物が、リング部外側より全体的又は部分的に確認出来、購入時に中身を選択したり想像する楽しみ方が出来、クリスマスプレゼントとしても最適である。又、リング部内の収納部に入れる被収納物を、例えば、カラフルな包紙でくるんだキャンディやチョコレート、小さなサンタクロースや雪ダルマの人形等である場合、リング部を透明部材により構成したことにより、これらの被収納物がリング部外側より視認可能となり、これがそのままリング部の意匠として効果的に表現される。
第三に本発明の収納部付クリスマスリースのリング部を蛇腹状に形成したことにより、クリスマスリースがリング形状であるゆえの形状的制限を取り除くことが可能となった。リング形状として、固定化したものである場合、開口部および開口部を閉塞或は開閉可能とする部材について、形状的なものからくる制限があり、リング形状の一部に開口部を作成し、そこから被収納物を出し入れするには、リング形状のままでは、不都合な面もあったが、本発明の収納部付クリスマスリースのリング部を蛇腹状に形成することにより、この問題点が解決された。リング部を曲げ伸ばし可能な蛇腹状とすることで、製造の段階において、はじめからリング部をリング形状に形成する必要はなく、帯状で筒型の蛇腹状に形成し、蛇腹の特徴を生かし、リング状に曲げて、一方端と他方端を接続しリング部とすることにより、初めからリング状に形成する場合に比べ、製造や被収納物の出し入れが形状的に容易である。リング部に被収納物を出し入れする際には、接続部分を外して、いったん、リング形状を解除し、帯状の筒型に戻すことにより、開口部が表れ、簡単に被収納物を出し入れ出来る上、合成樹脂を使用しリング部を蛇腹状に形成した本発明の収納部付クリスマスリースは、着色や図柄等施すことにより、合成樹脂の色合いや特性を生かした、カラフルでホップな着色が蛇腹模様とあいまって独特のデザインを有する収納部付クリスマスリースとなる。
第四に本発明の収納部付クリスマスリースのリング部外側に、クリスマスリースに適した図柄や装飾が施されてなるリングカバーを被装することにより、リング部は、収納部を有する容器としての形状および硬性を保ちながら、かつ、外観上は、リングカバーにより、ソフトで上品な感じを有し、表情豊かな外観を呈することにより、クリスマスリースとしての意匠性を高めることが可能となった。リングカバーを、紙、セロハン紙、アルミ紙等により作成した場合においては、リングカバーを破くことによりリング部を取り出すことが出来、リングカバーに開閉手段を設ける必要もなく、本発明の収納部付クリスマスリースのバージンシール性が一層保たれ、特に、菓子等を収納部に納めたものについては、その安全性が確保されると共に、低コストで、クリスマスにふさわしい華やかな印象の収納部付クリスマスリースの提供が可能となる。また、リング部を蛇腹状に形成したものにリングカバーを被装した本発明の収納部付クリスマスリースについては被収納物の出し入れという機能面と、外観上の見栄えの両面において、使いやすく見栄えのよい本発明の収納部付クリスマスリースとして優れたものである。
【図面の簡単な説明】
【図１】本発明の収納部付クリスマスリース１０１を示す正面図である。
【図２】図１に示した収納部付クリスマスリース１０１の縦側面図である。
【図３】図１のＡ−Ａ線で切った断面図である。
【図４】収納部付クリスマスリース１０１の開口部１０４を開けた状態の斜視図である。
【図５】収納部付クリスマスリース１０１の噛合部１０６の一部省略断面図である。
【図６】本発明の収納部付クリスマスリース２０１を示す斜視図である。
【図７】図６のＢ−Ｂ線で切った断面図である。
【図８】図６に示した収納部付クリスマスリース２０１を背面側からみた斜視図である。
【図９】本発明の収納部付クリスマスリース３０１を示す斜視図である。
【図１０】図９に示した収納部付クリスマスリース３０１を分解した斜視図である。
【図１１】図１０に示したリボン３０７の断面図である。
【図１２】図９に示した収納部付クリスマスリース３０１の別の状態を示すリボン３０７の一部を切欠した斜視図である。
【図１３】図１１に示したリボン３０７に蛇腹３０５の一端側に装着した環体３０６と蛇腹３０５の他端側に形成した有底縁部３０５ｃを接続した様子を示す断面図である。
【図１４】本発明の収納部付クリスマスリース４０１を示す斜視図である。
【図１５】図１４に示した収納部付クリスマスリース４０１の開口部４０４を開けた状態の斜視図である。
【図１６】図１５に示した収納部付クリスマスリース４０１の別の状態を示す一部を切欠した斜視図である。
【図１７】図１６に示した蛇腹４０５の一部を切欠した状態を示す斜視図である。
【図１８】図１６に示したリングカバー４０６の一部を切欠した状態を示す斜視図である。
【図１９】図１５に示したリングカバー４０６の一部を切欠し拡大した斜視図である。
【図２０】図１５に示した突出部４０７ｃを開口部４０４にはめ込み開口部４０４を閉塞し接続した状態の断面図である。
【図２１】図６に示した収納部付クリスマスリース２０１のリング部２０２にリングカバー２１２を被装した状態の斜視図である。
【図２２】図２１に示したＣ−Ｃ線で切った断面図である。
【符号の説明】
１０１  本発明の収納部付クリスマスリース
１０２  リング部              １０２ａ  リング部前面側
１０２ｂ  リング部背面側      １０２ｃ  継目
１０３    収納部              １０４    開口部
１０５    連結部              １０６    噛合部
１０７    孔                  １０８    合成樹脂製の木の葉
１０９    リボン              １１０    紐体
２０１    本発明の収納部付クリスマスリース
２０２    リング部            ２０２ａ  リング部前面側
２０２ｂ  リング部背面側      ２０２ｃ  継部分
２０２ｄ  被覆層
２０３    収納部              ２０４    開口部
２０５    透明のシート        ２０６    接着面
２０７    掛止孔              ２０８    突設片
２０９    リボン              ２１０    アップリケ
３０１    本発明の収納部付クリスマスリース
３０２    リング部        ３０３    収納部        ３０４    開口部
３０５    蛇腹            ３０６    環体          ３０７    リボン
３０８ａ  面ファスナー（オス）        ３０８ｂ  面ファスナー（メス）
３０９    オーナメント                ３１０    紐体
４０１    本発明の収納部付クリスマスリース
４０２    リング部          ４０３    収納部        ４０４    開口部
４０５    蛇腹              ４０６    リングカバー
４０７    円筒部            ４０８    円筒部
４０９    リボン        ４１０ａ    紐体        ４１０ｂ    紐体
４１１    縫い糸
２１２    リングカバー        ２１２ａカバー前面側部分
２１２ｂ  リングカバー背面側部分          ２１２ｃ  継部分
【図１】
0003976175.tif 000002
【図２】
0003976175.tif 000003
【図３】
0003976175.tif 000004
【図４】
0003976175.tif 000005
【図５】
0003976175.tif 000006
【図６】
0003976175.tif 000007
【図７】
0003976175.tif 000008
【図８】
0003976175.tif 000009
【図９】
0003976175.tif 000010
【図１０】
0003976175.tif 000011
【図１１】
0003976175.tif 000012
【図１２】
0003976175.tif 000013
【図１３】
0003976175.tif 000014
【図１４】
0003976175.tif 000015
【図１５】
0003976175.tif 000016
【図１６】
0003976175.tif 000017
【図１７】
0003976175.tif 000018
【図１８】
0003976175.tif 000019
【図１９】
0003976175.tif 000020
【図２０】
0003976175.tif 000021
【図２１】
0003976175.tif 000022
【図２２】
0003976175.tif 000023